(57)【要約】【課題】運転者の希望に応じた処理を車外装置に簡単な操作で実行させることが可能な車外装置制御方法を提供する。【解決手段】車外装置制御方法は、設定ステップと、実行ステップと、を含む。設定ステップでは、自動二輪車１を操舵するためのステアリングハンドルに設けられる操作子が操作された場合に生成される指示信号と、当該指示信号に対応して車外情報端末７が行う対応処理と、の対応関係情報を変更可能に設定する。実行ステップでは、設定ステップで設定した対応関係情報に基づいて決定される対応処理を車外情報端末７に実行させる。【選択図】図３
2018103935.tif 000002
【特許請求の範囲】
【請求項１】
車両が無線で、当該車両とは独立した構成の車外装置に対応処理を行わせる車外装置制御方法において、
車両を操舵するためのステアリングハンドルに設けられる操作子が操作された場合に生成される指示信号と、当該指示信号に対応して車外装置が行う対応処理と、の対応関係を示す対応関係情報を変更可能に設定する設定ステップと、
前記設定ステップで設定した前記対応関係情報に基づいて決定される前記対応処理を前記車外装置に実行させるための実行ステップと、
を含むことを特徴とする車外装置制御方法。
【請求項２】
請求項１に記載の車外装置制御方法であって、
前記操作子は、前記車外装置に前記対応処理を行わせるための前記指示信号を生成するための専用の操作子であることを特徴とする車外装置制御方法。
【請求項３】
請求項１又は２に記載の車外装置制御方法であって、
車外装置が有する複数の機能から、前記指示信号に対応した前記対応処理を選択する選択ステップを含むことを特徴とする車外装置制御方法。
【請求項４】
請求項１から３までの何れか一項に記載の車外装置制御方法であって、
前記設定ステップで設定された前記対応関係情報に応じて、前記車両に設けられる表示部に前記対応関係情報を表示する対応表示ステップを含むことを特徴とする車外装置制御方法。
【請求項５】
請求項１から３までの何れか一項に記載の車外装置制御方法であって、
前記対応処理の実行結果を前記車両に設けられる表示部に表示する結果表示ステップを含むことを特徴とする車外装置制御方法。
【請求項６】
請求項１から５までの何れか一項に記載の車外装置制御方法であって、
前記対応処理には、前記車両の走行に応じて、得られる結果が変化する処理が含まれていることを特徴とする車外装置制御方法。
【請求項７】
請求項１から６までの何れか一項に記載の車外装置制御方法であって、
前記操作子が操作されることで、前記指示信号が無線で前記車外装置へ送信され、
前記実行ステップは、前記車両から前記指示信号を受信した前記車外装置に、前記設定ステップで設定された前記対応処理を実行させることを特徴とする車外装置制御方法。
【請求項８】
請求項１から６までの何れか一項に記載の車外装置制御方法であって、
前記操作子が操作されることで、前記指示信号が前記車両内で生成され、
前記実行ステップは、前記車両が生成した前記指示信号に応じて、前記設定ステップで設定された前記対応処理を実行させるための実行信号に変換し、当該実行信号を前記車外装置へ無線送信することを特徴とする車外装置制御方法。
【請求項９】
車両を操舵するためのステアリングハンドルに設けられる操作子が操作された場合に生成される指示信号と、当該指示信号に対応して、前記車両とは独立した構成の車外装置が行う対応処理と、の対応関係を示す対応関係情報が、搭乗者に入力される入力部と、
前記入力部によって入力された前記対応関係情報を記憶する記憶部と、
前記指示信号が与えられると、前記記憶部に記憶される前記対応関係情報に基づいて決定される対応処理を前記車外装置に実行させるための処理を行う処理部と、
を備えることを特徴とする車外制御装置。
【請求項１０】
乗物が無線で、当該乗物とは独立した構成の乗物外装置に対応処理を行わせる乗物外装置制御プログラムにおいて、
乗物に設けられる操作子が操作された場合に生成される指示信号と、当該指示信号に対応して乗物外装置が行う対応処理と、の対応関係を示す対応関係情報を設定する設定ステップと、
前記設定ステップで設定した前記対応関係情報に基づいて選択される前記対応処理を前記乗物外装置に実行させるための実行ステップと、
を含む乗物外装置制御方法をコンピュータに実行させる乗物外装置制御プログラム。
【発明の詳細な説明】
【技術分野】
【０００１】
本発明は、主として、車両から車外装置に所定の処理を行わせる車外装置制御方法に関する。
【背景技術】
【０００２】
特許文献１は、車両のステアリングホイール等に設けられたマルチファンクションスイッチを開示する。このマルチファンクションスイッチは、モードを設定した後にマルチファンクションスイッチを操作することで、モードに応じた車載装置（ドアミラー、シート等）を動作させることができる。
【先行技術文献】
【特許文献】
【０００３】
【特許文献１】特開２００５−９６６５６号公報
【発明の概要】
【発明が解決しようとする課題】
【０００４】
しかし、特許文献１では、モードを設定した後にマルチファンクションスイッチを操作する必要があるため、運転者が目的とする機器を動作させるための操作が複雑になってしまう。また、特許文献１では、動作させる装置は車両と独立していない構成の車載装置であり、無線で信号を送信することは記載されていない。
【０００５】
本発明は以上の事情に鑑みてされたものであり、その主要な目的は、運転者の希望に応じた処理を車外装置又は乗物外装置に簡単な操作で実行させることが可能な車外装置制御方法を提供することにある。
【課題を解決するための手段】
【０００６】
本発明の解決しようとする課題は以上の如くであり、次にこの課題を解決するための手段とその効果を説明する。
【０００７】
本発明の第１の観点によれば、車両が無線で、当該車両とは独立した構成の車外装置に対応処理を行わせる車外装置制御方法において、以下の方法が提供される。この車外装置制御方法は、設定ステップと、実行ステップと、を含む。前記設定ステップでは、車両を操舵するためのステアリングハンドルに設けられる操作子が操作された場合に生成される指示信号と、当該指示信号に対応して車外装置が行う対応処理と、の対応関係を示す対応関係情報を変更可能に設定する。前記実行ステップでは、前記設定ステップで設定した前記対応関係情報に基づいて決定される前記対応処理を前記車外装置に実行させる。
【０００８】
これにより、運転者が対応関係情報を事前に設定することで、対応処理の実行時において運転者が行う操作が少なくなることで、運転者の希望に応じた対応処理を簡単な操作で車外装置に実行させ易くなる。
【０００９】
本発明の第２の観点によれば、以下の構成の車外制御装置が提供される。即ち、この車外制御装置は、入力部と、記憶部と、処理部と、を備える。前記入力部は、前記車両を操舵するためのステアリングハンドルに設けられる操作子が操作された場合に生成される指示信号と、当該指示信号に対応して、前記車両とは独立した構成の前記車外装置が行う対応処理と、の対応関係を示す対応関係情報が、搭乗者に入力される。前記記憶部は、前記入力部によって入力された前記対応関係情報を記憶する。前記処理部は、前記指示信号が与えられると、前記記憶部に記憶される前記対応関係情報に基づいて決定される対応処理を前記車外装置に実行させるための処理を行う。
【００１０】
これにより、運転者が対応関係情報を事前に設定することで、対応処理の実行時において運転者が行う操作が少なくなることで、運転者の希望に応じた対応処理を簡単な操作で車外装置に実行させ易くなる。
【００１１】
本発明の第３の観点によれば、乗物が無線で、当該乗物とは独立した構成の乗物外装置に対応処理を行わせる乗物外装置制御プログラムにおいて、以下の構成が提供される。この乗物外装置制御プログラムは、設定ステップと、実行ステップと、を含む乗物外装置制御方法をコンピュータに実行させる。前記設定ステップでは、乗物に設けられる操作子が操作された場合に生成される指示信号と、当該指示信号に対応して乗物外装置が行う対応処理と、の対応関係を示す対応関係情報を変更可能に設定する。前記実行ステップでは、前記設定ステップで設定した前記対応関係情報に基づいて選択される前記対応処理を前記乗物外装置に実行させる。
【００１２】
これにより、乗物外装置制御プログラムを用いて、運転者が対応関係情報を事前に設定することで、対応処理の実行時において運転者が行う操作が少なくなることで、運転者の希望に応じた対応処理を簡単な操作で乗物外装置に実行させ易くなる。
【発明の効果】
【００１３】
本発明によれば、運転者の希望に応じた対応処理を車外装置に簡単な操作で実行させることができる。
【図面の簡単な説明】
【００１４】
【図１】本発明の第１実施形態に係る車外装置制御方法を行うための自動二輪車の側面図。
【図２】自動二輪車のステアリングハンドルの近傍を示す平面図。
【図３】自動二輪車と車外情報端末のブロック図。
【図４】対応関係情報の事前設定を示すシーケンス図。
【図５】対応関係情報の事前設定が完了した際にメータ表示部に表示される内容を示す図。
【図６】車外制御スイッチが操作されたときの処理の流れを示すシーケンス図。
【図７】対応処理が完了した際にメータ表示部に表示される内容を示す図。
【図８】第２実施形態に係る、対応関係情報の事前設定を示すシーケンス図。
【図９】第２実施形態に係る、車外制御スイッチが操作されたときの処理の流れを示すシーケンス図。
【発明を実施するための形態】
【００１５】
次に、図面を参照して本発明の第１実施形態を説明する。初めに、車両又は乗物としての自動二輪車１の概要について図１から図３を参照して説明する。図１は、自動二輪車１の側面図である。図２は、自動二輪車１のステアリングハンドル２０の近傍を示す平面図である。図３は、自動二輪車１と車外情報端末７のブロック図である。以下の説明では、自動二輪車１が前進する方向を向いて左側及び右側を単に左側及び右側と称する。
【００１６】
図１に示す自動二輪車１は、車体１１と、前タイヤ１３と、後タイヤ１４と、を備える。
【００１７】
前タイヤ１３及び後タイヤ１４は、車体１１に回転可能に支持されている。具体的には、車体１１は、メインフレーム１５と、フロントフォーク１６と、スイングアーム１７と、を備える。フロントフォーク１６は、ヘッドパイプを介してフロントフォーク１６に接続されている。前タイヤ１３は、このフロントフォーク１６を介して支持されている。また、スイングアーム１７は、ピボットフレームを介してメインフレーム１５に接続されている。後タイヤ１４は、このスイングアーム１７を介して支持されている。
【００１８】
また、車体１１の前端には、前方に光を照射するヘッドランプ１８が配置されている。ヘッドランプ１８は、ロービームとハイビームを切替可能に構成されている。ヘッドランプ１８の後方には、メータ装置１９が配置されている。
【００１９】
図２及び図３に示すように、メータ装置１９は、メータ表示部４１と、メータ入力部４２と、メータ記憶部４３と、メータ処理部４４と、を備える。メータ表示部４１は、ドットマトリクス形式の電子表示装置である。メータ表示部４１は、自動二輪車１に関する情報（車速、エンジン回転速度、及び車外装置制御に関する情報等）を表示する。メータ入力部４２は、運転者が操作して表示切替指示等の所定の内容を入力するための部品である。運転者は、メータ入力部４２を用いて、例えば、自動二輪車１（特にメータ装置１９）の設定の変更を指示することができる。メータ記憶部４３は、処理における一次記憶装置であるＲＡＭ、及び、各種のプログラム、累積情報、メータ装置１９の設定等を記憶する。メータ処理部４４は、ＣＰＵ等の演算処理装置（コンピュータ）であり、メータ装置１９に関する処理を行う。
【００２０】
メータ装置１９の後方には、ステアリングハンドル２０が配置されている。ステアリングハンドル２０は、運転者が操舵を行うための部材であり、ステアリングハンドル２０を回転させることで前タイヤ１３の向きを変更して旋回を行うことができる。
【００２１】
図２に示すように、ステアリングハンドル２０の右側部分には、アクセル操作を行うためのスロットルグリップ３１と、ブレーキ操作を行うためのブレーキレバー３２と、が設けられている。
【００２２】
また、ステアリングハンドル２０の左側部分（スロットルグリップ３１と反対側）には、ハンドルグリップ３５と、クラッチ操作を行うためのクラッチレバー３６と、方向指示器を動作させる方向指示スイッチ３７と、ヘッドランプ１８のハイビームとロービームを切り替えるヘッドランプ高低切替スイッチ３８と、車外装置に所定の指示を送信するための車外制御スイッチ３９と、が設けられている。
【００２３】
車外装置とは、車両とは独立して構成される装置である。車外装置は、車両に設けられる駆動源（電力源）とは別の駆動源を有する。本実施形態では、運転者の要求する対応処理を実行する車外装置と、車外装置を実行する車外制御装置が一体的に構成されている。同様に、乗物外装置とは、乗物とは独立して構成される装置である。また、本実施形態では、車外装置は、車外情報端末７であって、通信機６０と無線接続される。
【００２４】
車外情報端末７は、通話機能、インターネット接続機能等を有する。車外情報端末７は、車外装置制御のための専用品ではなく、他の目的のための機能を有する汎用品が用いられる。車外情報端末７は、公衆回線等を介して取得した車外装置制御のためのプログラムが実行されることで、車外装置制御を行う。なお、汎用品を用いることで、車外装置を制御するための専用品を設ける構成と比較して、本発明の実施に掛かるコストを下げることができる。また、車外制御装置がエンジン制御装置等とは別の構成であるため、既存の車両に本発明を容易に適用できる。
【００２５】
車外制御スイッチ３９は、ステアリングハンドル２０に設けられている。具体的には、ステアリングハンドル２０のグリップ付近に配置されている。グリップ付近とは、ステアリングハンドル２０のグリップ（スロットルグリップ３１又はハンドルグリップ３５）を握った状態で運転者の指で操作可能な範囲にあることをいう。なお、本実施形態では、車外制御スイッチ３９は、運転者の親指で操作されることが想定されている。また、車外制御スイッチ３９は、左右方向においてスロットルグリップ３１の反対側（アクセル操作又はブレーキ操作を行う側の反対側）に設けられている。別の表現をすれば、車外制御スイッチ３９は、方向指示スイッチ３７又はヘッドランプ高低切替スイッチ３８の近傍に設けられている。この構成により、自動二輪車１の走行中（特にアクセル操作中、ブレーキ操作中）においても、運転者が車外制御スイッチ３９を操作し易い。また、図３に示すように、車外制御スイッチ３９は、メータ装置１９を介して、通信機６０と電気的に接続されている。
【００２６】
通信機６０は、搭乗者（運転者又は同乗者）が所持する車外情報端末７との間で無線通信を行うことができる。具体的には、通信機６０は、車外制御スイッチ３９の操作、例えば押圧操作に応じて、車外情報端末７へ無線で所定の信号を送信する。また、通信機６０は、車外情報端末７から所定の情報を受信する（詳細は後述）。自動二輪車１と搭乗者は比較的近い距離にいるため、自動二輪車１と車外情報端末７の通信には、例えば通信距離が１０ｍ以下、１０ｍ程度、１００ｍ以下の通信規格を用いることができる。通信規格の例としては、Ｂｌｕｅｔｏｏｔｈ（登録商標）を挙げることができる。なお、車外制御スイッチ３９は、車外情報端末７へ無線で所定の信号を送信するためだけに用いられ、別の処理には用いられないことが好ましい。このように、通信機６０と車外情報端末７が無線接続されることで、有線接続の場合に必要なコネクタ等が不要となるため、車体設計の自由度が向上したり、適用可能な車種を増加させ易い。
【００２７】
本実施形態の通信機６０は、自動二輪車１に設けられている。通信機６０は、車載バッテリーに接続されて電力が供給される。また、エンジン制御装置等の制御装置と一体的に構成されていても良い。
【００２８】
ステアリングハンドル２０の後方には、燃料タンク２１が配置されている。燃料タンク２１は、前タイヤ１３の後方に配置されたエンジン２２に供給する燃料を蓄える。エンジン２２は、自動二輪車１の後タイヤ１４を駆動する、自動二輪車１の駆動源である。
【００２９】
燃料タンク２１の後方には、運転者が着座するためのフロントシート（運転者シート）２３が配置されている。運転者は、フロントシート２３に着座し、フロントシート２３の下方に配置された左右一対のフロントステップ（運転者ステップ）２４に足を載せる。なお、フロントステップ２４の近傍には、変速操作を行うためのシフトペダルと、ブレーキ操作を行うためのブレーキペダルと、が設けられている。
【００３０】
次に、図３を参照して、車外装置としての車外情報端末７の構成について説明する。図３は、自動二輪車１と車外情報端末７のブロック図である。
【００３１】
車外情報端末７は、自動二輪車１の搭乗者（運転者又は同乗者）が所有する情報端末である。なお、車外情報端末７は、搭乗者が所持していても良いし、自動二輪車１に設けられた端末収容部に収容されていても良い。車外情報端末７が自動二輪車１に収容されている場合であっても、車外情報端末７は自動二輪車１とは独立した装置である。即ち、車外情報端末７は、自動二輪車１を構成している部品ではないため、車外に設けられているとする。車外情報端末７は、例えば、携帯電話、スマートフォン、タブレット端末、又はノートパソコン等である。車外情報端末７は、本実施形態では、位置検出部７１と、カメラ７２と、端末表示部７３と、端末入力部７４と、端末記憶部７５と、端末通信部７６と、端末処理部７７と、を備える。
【００３２】
位置検出部７１は、ＧＰＳ受信機（ＧＮＳＳ受信機）等であり、現在位置を検出する。カメラ７２は、静止画及び動画を撮影可能である。端末表示部７３は、ドットマトリクス形式の電子表示装置（液晶ディスプレイ、有機ＥＬディスプレイ等）であり、プログラムに応じて様々な情報を表示可能である。端末入力部７４は、搭乗者が所定の内容を入力可能なタッチパネルである。なお、端末入力部７４は、物理的に押圧して所定の内容を入力するハードウェアキーであっても良い。端末記憶部７５は、情報を記憶可能な不揮発性の記憶装置であり、具体的には、フラッシュメモリ（フラッシュディスク及びメモリーカード等）又はハードディスク等である。端末通信部７６は、通信機６０との近距離無線通信を用いた無線通信、公衆電話回線を用いた音声通話、インターネット接続を行うことができる。また、端末通信部７６は、予め定められた電波を直接又はインターネットを介して送信することで、駐車場等に設けられるゲート８１を開けることもできる。端末処理部７７は、ＣＰＵ等の演算処理装置であり、所定のプログラム（例えば車外装置制御を行うプログラム）を読み出して実行することで様々な処理を行う。
【００３３】
次に、車外装置制御について説明する。車外装置制御とは、自動二輪車１の車外制御スイッチ３９が操作された場合に、自動二輪車１とは独立した装置である車外装置（車外情報端末７）に所定の処理（対応処理）を行わせる制御である。車外情報端末７は、対応処理の候補として、複数の処理を有する。対応処理の候補としては、例えば（１）電話の発呼及び着呼、（２）メッセージ送信、（３）現在情報の記憶、（４）静止画の撮影、（５）現在位置の天気情報の表示、（６）ゲート操作、（７）データ記録がある。「電話の発呼及び着呼」は、予め定めた電話番号に端末通信部７６が電話を掛ける処理であったり着信時に着呼する処理である。「メッセージ送信は」、予め定めた送信先に端末通信部７６がメッセージ（電子メール、ＳＭＳ、又は、所定のアプリケーションを用いて実現されるメッセージ）を送信する処理である。「現在情報の記憶」とは、位置検出部７１が検出した現在位置の他、自動二輪車１の姿勢、走行速度、振動等を端末記憶部７５に記憶する処理である。なお、車外情報端末７が現在位置を自動二輪車１へ送信してメータ記憶部４３に記憶する処理であっても良い。また、自動二輪車１が備える位置検出器（ＧＮＳＳ受信機）を用いて現在位置を検出しても良い。「静止画の撮影」は、車外情報端末７のカメラ７２、図略の車載カメラ、自動二輪車１に別途設けられる外部カメラ８２等を用いて静止画を撮影する処理である。「現在位置の天気情報の表示」は、現在位置の検出結果及び現在時刻に基づいて、車外情報端末７が予め記憶している天気情報、又は、車外情報端末７が新たにインターネット等を介して取得した天気情報を自動二輪車１へ送信する処理である。自動二輪車１へ送信された天気情報は、メータ表示部４１等に表示される。「ゲート操作」は、駐車場のゲート８１、シャッター等へ予め設定した電波を直接又はインターネットを介して車外情報端末７が送信することで当該ゲート８１等を開く処理である。「データ記録」は、車両走行データの記録の開始及び停止を車外情報端末７へ指示する。なお、ここで説明した対応処理の候補は一例である。
【００３４】
上記の対応処理の候補のうち、少なくとも（３）現在情報の記憶、（４）静止画の撮影は、「自動二輪車１の走行に応じて得られる結果が変化する処理」に該当する。つまり、自動二輪車１の走行に応じて現在位置は変化する。また、自動二輪車１の走行に応じて自動二輪車１で取得される静止画の内容も変化する。このような処理では、運転者が意図してから短時間で対応処理が実行されることが好ましい。本実施形態では車外制御スイッチ３９の操作と対応処理が予め対応付けられているため、走行中に運転者が対応処理を選択する必要がなく、短時間で対応処理を実行できる。なお、（５）現在位置の天気情報の表示も走行に応じて得られる結果が変化する可能性もある。
【００３５】
上記の対応処理の候補のうち、少なくとも（１）電話の発呼及び着呼、（２）メッセージ送信、（５）現在位置の天気情報の表示（天気情報を新たに取得する場合）は、「公衆無線回線を介した通信を用いた処理」に該当する。このような処理を行うことにより、自動二輪車１側に公衆無線回線を利用するための通信機能を設けることなく（即ち自動二輪車１のコストを低減しつつ）、公衆無線回線を利用した処理を車両側から指示することができる。
【００３６】
また、上記の対応処理の候補のうち、少なくとも（４）静止画の撮影、のうち外部カメラ８２を用いた処理は、「公衆無線回線以外の通信を用いた処理」に該当する。このような処理を行うことにより、公衆無線回線に接続されていない装置に対しても、指示を行うことができる。
【００３７】
上記の対応処理の候補のうち、少なくとも（４）静止画の撮影は、「車外情報端末７が外部と通信することなく、車外情報端末７で実行される処理」に該当する。このような処理を行うことにより、車外情報端末７が有する通信以外の機能について自動二輪車１側から制御することができる。なお、（３）現在情報の記憶もこの処理に該当する可能性がある。
【００３８】
上記の対応処理の候補のうち、少なくとも（５）現在位置の天気情報の表示は、「車外情報端末７が記憶している情報、又は、車外情報端末７が取得した情報を自動二輪車１へ送信する処理」に該当する。このような処理を行うことにより、車外情報端末７が記憶又は取得した情報を自動二輪車１側で活用することができる。
【００３９】
上述のように、対応処理には、本発明のプログラムを記憶する前に実行可能であった処理を、自動二輪車１の走行中に動作させるものも含まれる。また、対応処理には、自動二輪車１とは独立して有している処理を、自動二輪車１の走行中に動作させるものも含まれる。
【００４０】
また、車外情報端末７の有する機能を組み合わせて、新たな機能（アプリケーション）の実行開始の指示を、車外制御スイッチ３９を介して実行させるようにしても良い。例えば、車外情報端末７の有する既存のセンサを用いて、（３）現在情報の記憶、即ち、現在位置の他、姿勢、走行速度、振動情報等を検出して記憶しても良い。
【００４１】
次に、車外情報端末７及び通信機６０の事前設定について説明する。初めに、車外情報端末７に車外装置制御用のプログラムをダウンロードしてインストールしておく。次に、車外情報端末７と通信機６０とを連携させる処理（ペアリング処理、相互認証処理）を行う。このように連携させる処理を行うことで、他の自動二輪車が送信した指示信号を受信して対応処理が行われることを防ぐことができる。
【００４２】
なお、他の自動二輪車が送信した指示信号を受信して対応処理が行われることを防ぐために、自動二輪車１の固有の情報（製造番号、車種、製造年度等）又は暗号化キーを付与しても良い。例えば、指示信号の送信時において、自動二輪車１の識別情報を同時に送信しても良い。つまり、車外情報端末７に予め自動二輪車１の識別情報を登録しておき、登録された識別情報とともに指示信号が送信された場合に限り、車外情報端末７は対応処理を行う。なお、自動二輪車１と車外情報端末７の間でのみ通信が実行されるように事前に登録を行うタイプの通信規格を用いる場合は、自動二輪車１の識別情報を送信することなく、誤作動を防止できる。
【００４３】
次に、車外制御スイッチ３９が操作された場合に車外情報端末７が行う対応処理を選択する設定（事前設定）について図４及び図５を参照して説明する。図４は、対応関係情報の事前設定を示すシーケンス図である。図５は、対応関係情報の事前設定が完了した際にメータ表示部４１に表示される内容を示す図である。
【００４４】
車外情報端末７の所有者が端末入力部７４を用いて所定の操作を行うことで、端末処理部７７は、車外情報端末７が実行可能な対応処理の一覧を端末表示部７３に表示する（シーケンス番号１）。車外情報端末７の所有者は、端末表示部７３に表示された対応処理の一覧から、車外制御スイッチ３９が操作されることで生成される指示信号と対応付ける対応処理を選択する。本実施形態では、通信機６０が指示信号として送信可能な指示信号は１種類であるため、車外情報端末７の所有者は対応処理を１つ選択する。以下の説明では、車外制御スイッチ３９を操作することで生成される指示信号、指示信号に応じて行う対応処理と、の対応関係を「対応関係情報」と称する。端末処理部７７は、自動二輪車１の搭乗者の選択に基づいて、対応関係情報を端末記憶部７５に記憶する（シーケンス番号２、設定ステップ）。これにより、対応処理の事前設定が完了する。なお、対応関係情報の事前設定を再び行うことで、運転者の好み及び状況に応じた対応処理に変更することができる。
【００４５】
次に、端末通信部７６は、この対応関係情報を通信機６０を介してメータ装置１９へ送信する（シーケンス番号３）。メータ装置１９は、通信機６０を介して受信した対応関係情報に基づいて、対応関係情報の事前設定が完了したことと、対応関係情報（車外制御スイッチ３９に対応付けられた対応処理）と、をメータ表示部４１に表示する（シーケンス番号４、対応表示ステップ）。なお、この対応関係の設定は車外情報端末７が行うが、対応関係の表示についても車外情報端末７で行い、メータ装置１９での表示を省略しても良い。また、事前設定は適宜のタイミングで行うことができ、事前設定が一度完了した後においても、事前設定をもう一度行うことで、対応関係情報を変更できる。
【００４６】
図５には、メータ表示部４１が対応関係情報を表示する様子が示されている。メータ表示部４１は、メッセージ表示部４１ａと、アイコン表示部４１ｂと、を含んでいる。メッセージ表示部４１ａには、対応関係情報の事前設定が完了したことと、具体的な対応関係と、が記載されている。また、アイコン表示部４１ｂには、車外情報端末７が実行可能な対応処理がアイコンで示されており、車外制御スイッチ３９の操作に（指示信号に）対応付けられているアイコンは点灯しており、それ以外のアイコンはグレーアウトしている。このように、対応関係情報は、文字を用いて表示しも良いし、アイコン等の図を用いて表示しても良い。また、例えばアイコン表示部４１ｂを常時（対応関係情報の事前設定が終わった後、例えば走行中）に表示することで、運転者は、現在はどの対応処理が対応付けられているかを確認し易くなる。
【００４７】
次に、車外制御スイッチ３９が操作された場合の車外装置制御について、図６及び図７を参照して説明する。図６は、車外制御スイッチ３９が操作されたときの処理の流れを示すシーケンス図である。図７は、対応処理が完了した際にメータ表示部４１に表示される内容を示す図である。
【００４８】
運転者が車外制御スイッチ３９を操作したことは、図略のスイッチ検出部により検出される（シーケンス番号１１）。車外制御スイッチ３９が操作されたことが検出されると、指示信号が生成される（シーケンス番号１２）。通信機６０は、生成された指示信号を無線で車外情報端末７へ送信する（シーケンス番号１３）。
【００４９】
端末処理部７７は、端末通信部７６を介して指示信号を受信すると、端末記憶部７５が記憶する対応関係情報に基づいて、受信した指示信号に対応付けられた対応処理を選択する（シーケンス番号１４、選択ステップ）。その後、端末処理部７７は、選択した対応処理を実行する（シーケンス番号１５、実行ステップ）。
【００５０】
端末通信部７６は、対応処理の実行が完了した後に、対応処理の完了を示す対応処理完了情報を通信機６０を介してメータ装置１９へ送信する（シーケンス番号１６）。メータ装置１９は、対応処理完了情報を受信すると、その旨をメータ表示部４１に表示する（シーケンス番号１７、結果表示ステップ）。
【００５１】
図７には、メータ表示部４１が対応処理の実行が完了した旨を表示する様子が示されている。具体的には、メッセージ表示部４１ａには、対応処理の実行が完了した旨と、対応処理の具体的な内容（図７では静止画の撮影）と、が表示されている。また、アイコン表示部４１ｂでは、対応処理が完了したアイコンは点滅する。このように、アイコン表示部４１ｂでは、車外制御スイッチ３９の操作と対応付けられていない対応処理のアイコンは常にグレーアウトしており、指示信号と新たに対応付けられた対応処理のアイコンは図５に示すように点灯し、対応処理が実行されたアイコンは点滅する。このように、３つの状態に応じてアイコンの表示が異なる。なお、グレーアウト、点灯、点滅の組合せは変更可能である。例えば、アイコンの表示色を異ならせることでアイコンの表示を異ならせても良い。なお、対応処理の実行が完了したことは、車外情報端末７に表示しても良いし、点灯の有無で通知を行うインジケータを用いて表示しても良い。
【００５２】
以上により、自動二輪車１の運転者が自らの好み等に応じた対応関係情報を設定することで、運転者の希望に応じた対応処理を簡単な操作で実行させ易くなる。
【００５３】
また、第１実施形態では、自動二輪車１から送信される指示信号が同じであっても、事前に動作すべき内容が設定されているので、車外情報端末７側の処理により、異なる対応処理を行わせることができる。従って、自動二輪車１の構造を単純化できる。また、指示信号を無線送信可能であれば様々な自動二輪車１を用いて、車外装置制御を行うことができる。
【００５４】
また、第１実施形態では、対応関係情報を搭乗者に入力させるための入力部は端末入力部７４であり、端末入力部７４によって入力された対応関係情報を記憶する記憶部は端末記憶部７５であり、端末記憶部７５に記憶される対応関係情報に基づいて決定される対応処理を車外情報端末７に実行させるための処理を行う処理部は端末処理部７７である。従って、車外情報端末７が車外制御装置に相当する。また、第１実施形態では、設定ステップ及び実行ステップは端末処理部７７で実行されているため、本発明の車外装置制御プログラムも車外情報端末７に記憶されている。
【００５５】
次に、図８及び図９を参照して、第２実施形態を説明する。図８は、第２実施形態に係る、対応関係情報の事前設定を示すシーケンス図である。図９は、第２実施形態に係る、車外制御スイッチ３９が操作されたときの処理の流れを示すシーケンス図である。
【００５６】
第１実施形態では、対応関係情報を車外情報端末７側で管理している。従って、第１実施形態では、車外情報端末７を操作して対応関係情報を事前設定する。また、指示信号を受信したときに、どの対応処理を行うかの選択も車外情報端末７で行う。
【００５７】
これに対し、第２実施形態では、対応関係情報の管理を自動二輪車１で行う。従って、対応関係情報を事前設定する処理も自動二輪車１で行われる。また、車外制御スイッチ３９が操作された場合にどの対応処理を行うかの判断も自動二輪車１で行われる。
【００５８】
以下、第２実施形態において対応関係情報を事前設定するときの処理の流れについて説明する。自動二輪車１の運転者がメータ入力部４２を用いて所定の操作を行うことで、メータ処理部４４は、自動二輪車１が指示可能な対応処理の一覧をメータ表示部４１に表示する（シーケンス番号２１）。自動二輪車１の運転者は、メータ表示部４１に表示された対応処理の一覧から、希望する対応処理を１つ選択する。メータ処理部４４は、運転者の選択に基づいて、対応関係情報をメータ記憶部４３に記憶する（シーケンス番号２２、設定ステップ）。これにより、対応処理の事前設定（新規設定又は設定変更）が完了する。
【００５９】
次に、メータ処理部４４は、メータ記憶部４３に記憶した対応関係情報をメータ表示部４１に表示する（シーケンス番号２３、対応表示ステップ）。なお、第１実施形態と同様に、対応関係情報の事前設定が完了した旨も同時に表示しても良い。このように、第２実施形態では、自動二輪車１と車外情報端末７が通信することなく対応関係情報を自動二輪車１側の表示部（メータ表示部４１）に表示することができる。
【００６０】
次に、第２実施形態において車外制御スイッチ３９が操作されたときの処理の流れについて説明する。運転者が車外制御スイッチ３９を操作したことは、図略のスイッチ検出部により検出される（シーケンス番号３１）。車外制御スイッチ３９が操作されたことが検出されると、メータ装置１９の内部において、指示信号が生成される（シーケンス番号３２）。メータ装置１９のメータ処理部４４は、生成した指示信号と、メータ記憶部４３が記憶する対応関係情報と、に基づいて、生成した指示信号に対応付けられた対応処理を選択する（シーケンス番号３３、選択ステップ）。次に、メータ処理部４４は、選択した対応処理を車外情報端末７に実行させるための実行信号を生成する（シーケンス番号３４）。このように、第２実施形態では、対応処理に応じて異なる実行信号を生成する。メータ処理部４４は、実行信号を車外情報端末７へ送信して対応処理を実行させる（シーケンス番号３５、実行ステップ）。端末処理部７７は、受信した実行信号により対応処理を実行する（シーケンス番号３６）。
【００６１】
なお、シーケンス番号３７及び３８の処理は、第１実施形態のシーケンス番号１６及び１７と同じであるため、説明を省略する。
【００６２】
このように、第２実施形態では、自動二輪車１から送信する実行信号を異ならせることで、車外情報端末７に異なる対応処理を行わせる。従って、車外情報端末７側のプログラムを単純化できる。また、実行信号に応じて対応処理を行う構成であれば、様々な車外情報端末７に対して、車外装置制御を行うことができる。
【００６３】
また、第２実施形態では、対応関係情報を搭乗者に入力させるための入力部はメータ入力部４２であり、メータ入力部４２によって入力された対応関係情報を記憶する記憶部はメータ記憶部４３であり、メータ記憶部４３に記憶される対応関係情報に基づいて決定される対応処理を車外情報端末７に実行させるための処理を行う処理部はメータ処理部４４である。従って、メータ装置１９が車外制御装置に相当する。なお、上記の入力部、記憶部、及び処理部は、メータ装置１９以外（例えばエンジン制御装置）に設けられていても良い。また、車外制御装置は、車外装置制御を行うための専用品であっても良い。また、第２実施形態では、設定ステップ及び実行ステップはメータ処理部４４で実行されているため、本発明の車外装置制御プログラムもメータ装置１９に記憶されている。
【００６４】
以上に説明したように、上記の車外装置制御方法は、設定ステップと、実行ステップと、を含む。設定ステップでは、自動二輪車１を操舵するためのステアリングハンドル２０に設けられる操作子（車外制御スイッチ３９）が操作された場合に生成される指示信号と、当該指示信号に対応して車外情報端末７が行う対応処理と、の対応関係を示す対応関係情報を変更可能に設定する。実行ステップでは、設定ステップで設定した対応関係情報に基づいて決定される対応処理を車外情報端末７に実行させる。
【００６５】
これにより、自動二輪車１の運転者が自らの好み又は車外情報端末７の使用方法等に応じた対応関係情報を設定することで、選択する操作が不要となるので、運転者の希望に応じた対応処理を簡単な操作で実行させ易くなったり、走行中に実行できる処理の拡張性を高めることができる。また、運転者が不要と考える処理を選択肢から除くことができ、運転者の望む処理を行い易い。そのため、自動二輪車１の走行に必須ではない処理での指示に好適に適用可能である。また、車外制御スイッチ３９がステアリングハンドル２０に設けられるので、運転中においても、対応処理の指示を簡単に行うことができる。従って、走行中に変化する情報に関する処理を対応処理として行わせることができる。また、ヘルメット及びグローブの装着を解除することなく、対応処理の指示を簡単かつ短時間で行うことができる。
【００６６】
また、上記実施形態の車外装置制御方法では、車外制御スイッチ３９は、車外情報端末７に対応処理を行わせるための指示信号を生成するための専用の操作子である。
【００６７】
これにより、車外情報端末７へ指示信号を送信するための車外制御スイッチ３９を他の操作子と兼用する場合に比べて、車外情報端末７に対応処理を行わせる操作を簡単に行うことができる。従って、例えば走行中においても、運転者の意思に応じて速やかに車外情報端末７に対応処理を行わせることができる。
【００６８】
また、上記実施形態の車外装置制御方法では、車外情報端末７が有する複数の機能から、指示信号に対応した対応処理を選択する選択ステップを含む。
【００６９】
これにより、車外情報端末７が複数の処理を機能を有するため、運転者の好みに応じた機能を車外情報端末７に実行させ易くなる。
【００７０】
また、上記実施形態の車外装置制御方法では、設定ステップで設定された対応関係情報に応じて、自動二輪車１に設けられるメータ表示部４１に対応関係情報を表示する対応表示ステップを含む。
【００７１】
これにより、運転者は、対応関係情報の表示を確認することで、現在どのような機能が設定されているかが把握し易くなる。
【００７２】
また、上記実施形態の車外装置制御方法では、対応処理の実行結果を自動二輪車１に設けられるメータ表示部４１に表示する結果表示ステップを含む。
【００７３】
これにより、対応処理の結果を表示することで、運転者は、対応処理が実行されたことを確認できる。このとき、対応関係にある対応処理を、対応関係にない対応処理よりも目立つように表示する（例えば対応関係にない対応処理を小さく表示したり、表示しなかったりする）ことで、表示画面の視認性を向上させることができる。
【００７４】
また、上記実施形態の車外装置制御方法では、対応処理には、自動二輪車１の走行に応じて、得られる結果が変化する処理が含まれている。
【００７５】
このように自動二輪車１の走行に応じて（即ち、位置又は時刻に応じて）得られる結果が変化する場合、運転者が意図してから早期に対応処理が行われることが望ましい。この点、本発明では予め対応関係情報を設定しておくことで、運転者が意図してから実際に対応処理が行われるまでの時間を短くすることができる。従って、運転者の意図に応じた結果が得られ易い。
【００７６】
また、第１実施形態の車外装置制御方法では、車外制御スイッチ３９が操作されることで、指示信号が無線で車外情報端末７へ送信される。実行ステップでは、自動二輪車１から指示信号を受信した車外情報端末７が、設定ステップで設定された対応処理を実行する。
【００７７】
これにより、自動二輪車１側で対応処理に応じた信号を生成する場合と比較して、自動二輪車１が行う処理を単純化し易いため、車外情報端末７側の汎用性を高めることができる。
【００７８】
また、第２実施形態の車外装置制御方法では、車外制御スイッチ３９が操作されることで、指示信号が自動二輪車１内で生成される。実行ステップは、生成した指示信号に応じて、自動二輪車１が、設定ステップで設定された対応処理を実行させるための実行信号に変換し、当該実行信号を車外情報端末７へ無線送信する。
【００７９】
これにより、車外情報端末７側で対応処理に応じた信号を生成する場合と比較して、車外情報端末７が行う処理を単純化し易いため、車外情報端末７側の汎用性を高めることができる。
【００８０】
以上に本発明の好適な実施の形態を説明したが、上記の構成は例えば以下のように変更することができる。
【００８１】
上記実施形態では、車外制御スイッチ３９が１つであるが、車外制御スイッチが複数設けられていても良い。この場合、操作される車外制御スイッチに応じて異なる指示信号が生成される。そして、それぞれの指示信号に対して異なる対応処理が関係付けられる。この構成により、車外制御スイッチ３９を用いて複数の機能を実現できる。複数のスイッチにおいて、スイッチの操作の組合せに応じて異なる指示信号が生成されても良い。また、車外制御スイッチを複数設ける構成に代えて、選択キーと、実行キーと、を備え、事前に対応付けられた複数の対応処理から１つの対応処理を選択キーを操作して選択し、実行キーを操作して選択を確定する構成であっても良い。この場合でも、運転者の選択した処理のみを実行できるので、予め用意してある全ての処理から選択する場合に比べて切替処理を簡単にすることができる。なお、車外制御スイッチ３９が１つの場合であっても、操作方法（長押し、２度押し）等に応じて、複数の指示信号を生成することもできる。また、車外制御スイッチ３９を１回押すと車外装置制御を開始し、もう一回押すと車外装置制御を終了する構成であっても良い（例えば後述の動画の撮影の開始と終了）。また、車外制御スイッチ３９を押している間だけ車外制御を行う（例えば動画の撮影を行う）構成であっても良い。
【００８２】
上記実施形態では、車外制御スイッチ３９は、スロットルグリップ３１の反対側に設けられているが、スロットルグリップ３１側に設けられていても良い。また、運転者が操作する他の操作箇所（ブレーキペダル又はシフトペダル）の近傍に設けられていても良い。更には、操作箇所の近傍以外（例えばメータ装置１９の近傍等）に設けられていても良い。
【００８３】
上記実施形態では、車外制御スイッチ３９は、車外装置制御のためだけに用いられるスイッチであるが、他の処理に用いられるスイッチを車外制御スイッチとして用いることもできる。例えば、所定のタイミング（例えば走行中）又は所定の設定を行った後において、メータ入力部４２の１つのスイッチを車外制御スイッチとして機能させることができる。
【００８４】
上記実施形態では、車外装置として、搭乗者が所有する情報端末を例に挙げて説明したが、情報端末以外を車外装置として制御することもできる。この場合、少なくとも通信部、処理部、記憶部を有していれば良い。従って、電話機能、インターネット接続機能、撮影機能、表示機能等を有していなくても良い。例えば、駐車場等に設けられるゲートを車外装置としても良い。この場合、車外制御スイッチ３９を操作して通信機６０から送信される指示信号又は実行信号に基づいてゲートを開けることになる（車外情報端末７を介さない）。また、車外装置としては、ゲートのように、対応処理が複数ではなく１つであっても良い。この場合は、選択ステップが不要となる場合がある。
【００８５】
上記で説明した対応処理は一例であり、他の処理を対応処理としても良い。例えば、（１）車外情報端末７又は車載カメラを用いた動画の撮影の開始及び停止、（２）事前に登録した相手へ現在位置、相対距離、相対方位の少なくとも何れかを送信、（３）自動二輪車１側又は車外情報端末７側の方位センサから得られる方角をメータ表示部４１に表示、（４）車外情報端末７のナビゲーション機能を用いている場合において、目的地までの距離の表示、又は、事前に設定した店舗又はガソリンスタンド等の方向等の表示、（５）事前に登録した相手に対する相対位置の表示、（６）所定の距離範囲における特定の車種の位置の表示、（７）渋滞情報の表示、（８）ラップタイムの計測、（９）ＳＯＳメッセージの送信、（１０）周囲の設備又は車両等から取得した情報の表示、具体的には信号が青信号に変わるまでの時間を取得してメータ表示部４１等に表示させることや、交差点に進入する自車両の存在を示す情報を他車両や周囲の設備に送信すること、緊急車両が近づく方向及び距離等を表示すること等がある。
【００８６】
メータ表示部４１において、部分的に車外情報端末７からの情報を表示する外部表示領域が設けられていても良い。また、車外制御スイッチ３９を操作すると、車外情報端末で生成された外部情報を表示するための外部表示領域が新たに表示されても良い。例えば、車外制御スイッチ３９を１回押すと外部表示領域が表示され、車外制御スイッチ３９をもう１回押すと外部表示領域が非表示となる。外部表示領域が非表示となると、他の表示が大きくなることで、他の表示情報の視認性の低下を防止できる。特に、メータ表示部４１の表示領域の大きさが小さい場合に好適である。また、例えば車外制御スイッチ３９を操作することで、走行中に運転者が一時的に望む情報を表示しても良い。例えば、一時的に望む情報として、車体の向く方向、天気予報、目的地への予測到着時間、目的地までの予測所要時間、渋滞情報、日没情報、予め登録した中継地点（ガソリンスタンド、コンビニエンスストア等）の情報等である。このような情報を表示するためのプログラムを車外情報端末７にダウンロードすることで、車外制御スイッチ３９の操作時のメータ処理部４４の表示をカスタマイズすることができ、運転者の要求する表示態様を図り易くすることができる。なお、外部表示領域は、車外制御スイッチ３９の操作の有無に関係なく常に同じ領域に表示されていても良い。
【００８７】
上記実施形態では、マルチパーパスタイプの自動二輪車１を説明したが、他のタイプ（例えばネイキッドタイプ、スポーツタイプ）の自動二輪車にも本発明を適用できる。
【００８８】
本発明は、自動二輪車に限られず、鞍乗型車両又は自動車（四輪車）等の他の車両、車両以外の乗物にも適用することができる。特に鞍乗型車両では、ステアリングハンドルを両手で握って操作することが想定されていることが多い。従って、ステアリングハンドルの近傍に車外制御スイッチを設けて車外制御スイッチを操作し易くしたという効果は、鞍乗型車両において特に有効に発揮できる。なお、鞍乗型乗物としては、主としてオフロードを走行するための全地形対応車（ＡＴＶ、Ａｌｌ  Ｔｅｒｒａｉｎ  Ｖｅｈｉｃｌｅ）、水上オートバイ（ＰＷＣ、Ｐｅｒｓｏｎａｌ  Ｗａｔｅｒ  Ｃｒａｆｔ）等を挙げることができる。
【符号の説明】
【００８９】
１  自動二輪車（車両、乗物）
７  車外情報端末（車外制御装置、乗物外制御装置）
７３  端末表示部
７４  端末入力部（入力部）
７５  端末記憶部（記憶部）
７６  端末通信部
７７  端末処理部（処理部）
１９  メータ装置（車外制御装置）
４１  メータ表示部（表示部）
４２  メータ入力部（入力部）
４３  メータ記憶部（記憶部）
４４  メータ処理部（処理部）
２０  ステアリングハンドル
３９  車外制御スイッチ（操作子）
６０  通信機
【図１】
2018103935.tif 000003
【図２】
2018103935.tif 000004
【図３】
2018103935.tif 000005
【図４】
2018103935.tif 000006
【図５】
2018103935.tif 000007
【図６】
2018103935.tif 000008
【図７】
2018103935.tif 000009
【図８】
2018103935.tif 000010
【図９】
2018103935.tif 000011